(57)【要約】【課題】異種材料の使用や部品点数が増加することなく、筐体内部への埃の侵入を軽減させることができるレーザ光源装置を提供すること。【解決手段】レーザ光源１と、複数枚の冷却フィン２ａを有しレーザ光源１を冷却する熱交換器２と、レーザ光源１を駆動する駆動回路３ａと、吸気穴４ａ及び排気穴４ｂが形成された筐体４と、筐体４に取り付けられ、吸気穴４ａから吸い込んだ空気を排気穴４ｂから吐き出す空冷ファン５とを備え、複数枚の冷却フィン２ａは、吸気穴４ａと対向する位置に、互いに所定の間隔を空けながら重なるようにして配設され、重ねられた冷却フィン２ａのピッチが、吸気穴４ａの最小幅寸法以下である。【選択図】        図１
2010008905.tif 000002
【特許請求の範囲】
【請求項１】
レーザ光源と、
複数枚の冷却フィンを有し前記レーザ光源を冷却する熱交換器と、
前記レーザ光源を駆動する駆動回路と、
前記レーザ光源、前記熱交換器、及び前記駆動回路を収納するとともに、吸気穴及び排気穴が形成された筐体と、
前記筐体に取り付けられ、前記吸気穴から吸い込んだ空気を前記排気穴から吐き出して前記筐体内を流通させる空冷ファンとを備えたレーザ光源装置において、
前記複数枚の冷却フィンは、前記吸気穴と対向する位置に、互いに所定の間隔を空けながら重なるようにして配設され、重ねられた前記冷却フィンのピッチが、前記吸気穴の最小幅寸法以下である
ことを特徴とするレーザ光源装置。
【請求項２】
前記複数枚の冷却フィンは、前記吸気穴が形成された前記筐体の側面に対して、直交して配置されている
ことを特徴とする請求項１に記載のレーザ光源装置。
【請求項３】
前記複数枚の冷却フィンは、前記吸気穴が形成された前記筐体の側面に対して、傾斜して配置され、前記複数枚の冷却フィンを該冷却フィンに平行な方向から前記筐体の側面に投影した際の影のピッチが、前記吸気穴の最小幅寸法以下である
ことを特徴とする請求項１に記載のレーザ光源装置。
【請求項４】
前記複数枚の冷却フィンは、前記筐体の内側で前記吸気穴を覆うように設けられている  ことを特徴とする請求項１から３のいずれか１項に記載のレーザ光源装置。
【請求項５】
前記複数枚の冷却フィンは、前記吸気穴から吸い込まれ前記排気穴から吐き出される空気の通路上に設けられている
ことを特徴とする請求項１から４のいずれか１項に記載のレーザ光源装置。
【発明の詳細な説明】
【技術分野】
【０００１】
本発明は、筐体内にレーザ光源及び駆動回路等を収納するとともに、レーザ光源を冷却する熱交換器を備えたレーザ光源装置に関するものである。
【背景技術】
【０００２】
従来、筐体内部への埃の侵入を軽減させるために、外部の空気を取り込む吸気穴にフィルタを配置する方法が提案されている（例えば、特許文献１参照）。
【０００３】
【特許文献１】特開２００７−１１５０２０号公報
【発明の開示】
【発明が解決しようとする課題】
【０００４】
しかしながら、例えば上記特許文献１にて提案されているようなフィルタを配置する方法においては、一般にフィルタは筐体や内部機器の材料とは異なる例えば繊維質の材料で作製するので、異種材料の使用が増加という問題や、またフィルタを設けることにより部品点数が増加するという問題があり、これによりコストが増大するといった課題があった。
【０００５】
本発明は、上記に鑑みてなされたものであって、異種材料の使用や部品点数が増加することなく、筐体内部への埃の侵入を軽減させることができるレーザ光源装置を提供する。
【課題を解決するための手段】
【０００６】
上述した課題を解決し、目的を達成するために、本発明のレーザ光源装置は、レーザ光源と、複数枚の冷却フィンを有しレーザ光源を冷却する熱交換器と、レーザ光源を駆動する駆動回路と、レーザ光源、熱交換器、及び駆動回路を収納するとともに、吸気穴及び排気穴が形成された筐体と、筐体に取り付けられ、吸気穴から吸い込んだ空気を排気穴から吐き出して筐体内を流通させる空冷ファンとを備えたレーザ光源装置において、複数枚の冷却フィンは、吸気穴と対向する位置に、互いに所定の間隔を空けながら重なるようにして配設され、重ねられた冷却フィンのピッチが、吸気穴の最小幅寸法以下であることを特徴とする。
【０００７】
この発明によれば、空冷ファンにより、外部から取り込まれた空気は複数枚の冷却フィンの間を通過する。そして、複数枚の冷却フィンは、簡易的にフィルタとして動作する。
【発明の効果】
【０００８】
この発明によれば、従来必要であったフィルタを削減することができ、異種材料の使用や部品点数が増加することなく、筐体内部への埃の侵入を軽減させることができる、という効果を奏する。
【発明を実施するための最良の形態】
【０００９】
以下に、本発明にかかるレーザ光源装置の実施の形態を図面に基づいて詳細に説明する。なお、この実施の形態によりこの発明が限定されるものではない。
【００１０】
実施の形態
図１は本発明にかかるレーザ光源装置の実施の形態を示す縦断面図である。図２は本実施の形態のレーザ光源装置の主要構成部を示す図１のＡ部分の拡大図である。図３は本実施の形態のレーザ光源装置の外観図である。レーザを光源とする民生のＴＶや業務用ディスプレイなどの投射型映像装置に使用される。レーザ光源装置１００は、レーザ光を出射するレーザ光源１と、レーザ光源１を冷却する熱交換器２と、レーザ光源１を搭載するとともにレーザ光源１の駆動する駆動回路３ａが設けられた基板３と、これらレーザ光源１、熱交換器２及び基板３を収納する筐体４とを有している。熱交換器２は、レーザ光源１に取り付けられ複数の冷却フィン２ａを有しレーザ光源１を冷却する。
【００１１】
図示しないがレーザ光源１は、光の３元素であるＲ・Ｇ・Ｂを発生するよう３個のレーザ光源１が図１の紙面に垂直な方向に併設されており、それぞれのレーザ光源１に熱交換器２が設けられている。特にＢ（ブルー）のレーザ光を発生するレーザ光源１には、２個の熱交換器２が取り付けられている。各々のレーザ光源１が発生したレーザ光は、図示しない光ファイバによって装置外部に導き出されている。
【００１２】
筐体４の前面には、図３に良く示されるように、多数の吸気穴４ａが形成されている。吸気穴４ａは、矩形細長状の小穴であり、筐体４の前面のほぼ全体にわたって形成されている。一方、筐体４の上面には、２つの排気穴４ｂが形成され、この２つの排気穴４ｂの内側にそれぞれ空冷ファン５が設けられている。空冷ファン５は、吸気穴４ａから吸い込んだ空気を排気穴４ｂから吐き出すことにより、筐体４内外の空気を図１の矢印のように流通させる。
【００１３】
熱交換器２は、レーザ光源１から排気穴４ｂ側に向かって延びるヒートパイプ２ｂと、このヒートパイプ２ｂに取り付けられた多数の冷却フィン２ａとを有している。そして、複数のレーザ光源１から延びるヒートパイプ２ｂは、筐体４の吸気穴４ａが設けられた面の内側に沿って並んでいる。そして、複数枚の冷却フィン２ａは、図２に良く示されるように、筐体４の吸気穴４ａが設けられた面に対して直交している。そして、図３に示した吸気穴４ａの短手方向寸法（最小幅寸法）Ｄ２よりも、図２に示した熱交換器２の冷却フィン２ａのピッチＤ１が小さくなるように構成されている。
【００１４】
動作を説明する。空冷ファン５により、外部の空気が吸気穴４ａから筐体４の内部へ取り込まれる際に、空気は複数枚の冷却フィン２ａの間を通過する。そして、吸気穴４ａの内側に配設された取り付けられた熱交換器２の冷却フィン２ａが、吸気穴４ａと重なることで簡易的にフィルタとして働く。これにより、冷却フィン２ａのＤ１より大きな埃の筐体４内部への侵入が防止される。
【００１５】
以上のように、本実施の形態のレーザ光源装置１００においては、複数枚の冷却フィン２ａを有してレーザ光源１を冷却する熱交換器２と、筐体４に取り付けられ、吸気穴４ａから吸い込んだ空気を排気穴４ｂから吐き出して筐体４内を流通させる空冷ファン５とを備えており、複数枚の冷却フィン２ａは、吸気穴４ａと対向する位置に、互いに所定の間隔を空けながら重なるようにして配設され、重ねられた冷却フィン２ａのピッチＤ１が、吸気穴４ａの最小幅寸法Ｄ２以下であるので、冷却フィン２ａが簡易的にフィルタとして働き、従来必要であったフィルタを削減することができる。これにより、異種材料の使用や部品点数が増加することなく、筐体４内部への埃の侵入を軽減させることができる。
【００１６】
また、複数枚の冷却フィン２ａは、吸気穴４ａが形成された筐体４の側面に対して、直交して配置されているので、吸気穴４ａから吸い込まれた空気が流通を規制されることがなく、空気は抵抗なく筐体４内を通過することとなり冷却機能が阻害されることがない。
【００１７】
さらに、複数枚の冷却フィン２ａは、吸気穴４ａから吸い込まれ排気穴４ｂから吐き出される空気の通路上に設けられているので、熱交換器２の冷却動作が良好に行われる。さらにまた、複数枚の冷却フィン２ａは、筐体４の内側で吸気穴４ａを覆うように配置されているので、冷却フィン２ａの行うフィルタ動作が効果的に行われる。
【００１８】
なお、本実施の形態のレーザ光源装置１００においては、冷却フィン２ａは、吸気穴４ａが形成された筐体４の側面に対して直交して配置されているが、必ずしもこれに限定されるものではなく、冷却フィン２ａは、吸気穴４ａに対して傾斜して配置されてもよい。この場合、複数の冷却フィン２ａを冷却フィン２ａに平行な方向から筐体４の側面に投影した際の影のピッチが、吸気穴４ａの最小幅寸法Ｄ２以下となることが好ましい。このような構成とすることで、冷却フィン２ａを簡易的にフィルタとして働かせる上記と同様な効果を得ることができるとともに、吸気穴４ａから吸い込まれた空気が冷却フィン２ａの表面に確実に接触するので冷却機能が向上する。
【産業上の利用可能性】
【００１９】
以上のように、本発明にかかるレーザ光源装置は、筐体内にレーザ光源及び駆動回路等を収納するとともに、レーザ光源を冷却する熱交換器を備えたレーザ光源装置に適用して有用なものであり、レーザを光源とする民生のＴＶや業務用ディスプレイなどの投射型映像装置に活用するレーザ光源装置に適用して最適なものである。
【図面の簡単な説明】
【００２０】
【図１】本発明にかかるレーザ光源装置の実施の形態を示す縦断面図である。
【図２】本実施の形態のレーザ光源装置の主要構成部を示す図１のＡ部分の拡大図である。
【図３】本実施の形態のレーザ光源装置の外観図である。
【符号の説明】
【００２１】
１  レーザ光源
２  熱交換器
２ａ  冷却フィン
２ｂ  ヒートパイプ
３  基板
３ａ  駆動回路
４  筐体
４ａ  吸気穴
４ｂ  排気穴
５  空冷ファン
１００  レーザ光源装置
【図１】
2010008905.tif 000003
【図２】
2010008905.tif 000004
【図３】
2010008905.tif 000005